(57)【要約】【課題】所望の設備に関する詳細な管理情報の表示の際の作業負担を軽減できるようにする。【解決手段】制御部１５は、シンボル表示手段１５Ｃにより、当該施設に配置された各設備のシンボルを図面情報上にそれぞれ表示し、任意のシンボルに対する所定操作に応じて、管理情報表示手段１５Ｄにより、当該シンボルの設備に関する詳細な情報を記憶部１４の管理情報１４Ｂから選択して表示画面上に表示する。【選択図】  図１
2005285004.tif 000002
【特許請求の範囲】
【請求項１】
施設に配置された各設備を管理する際に用いられ、当該施設の構成を示す図面情報および前記各設備に関する管理情報を記憶する記憶部と、各種情報を表示画面に表示する画面表示部と、前記図面情報および任意の設備に関する管理情報を前記表示画面に表示する制御部とを有する施設管理装置において、
前記制御部は、
当該施設に配置されている各設備のシンボルをその配置位置に応じて前記表示画面の図面情報上にそれぞれ表示するシンボル表示手段と、
前記図面情報上に表示された任意のシンボルに対する所定操作に応じて当該シンボルの設備に関する詳細な情報を前記記憶部の管理情報から選択して表示画面上に表示する管理情報表示手段とを備えることを特徴とする施設管理装置。
【請求項２】
請求項１に記載の施設管理装置において、
前記シンボル表示手段は、前記各設備の故障有無または故障回数に応じた表示色を用いてそれぞれのシンボルを表示することを特徴とする施設管理装置。
【請求項３】
請求項１に記載の施設管理装置において、
前記制御部は、前記図面情報上に表示された任意のシンボルに対する所定操作に応じて、当該シンボルの設備と同じ設備種別の設備に関する管理情報を記憶部の管理情報から選択してリスト化し、表示画面上に表示するリスト表示手段をさらに備えることを特徴とする施設管理装置。
【請求項４】
請求項１に記載の施設管理装置において、
前記制御部は、前記各設備の設備種別に対応する選択項目を表示画面に表示する選択項目表示手段をさらに備え、
前記シンボル表示手段は、前記各設備のシンボルを表示する際、前記選択項目への操作で選択されている設備種別に属する設備のシンボルのみを表示することを特徴とする施設管理装置。
【請求項５】
請求項１に記載の施設管理装置において、
前記制御部は、前記記憶部の管理情報から計数した任意の設備の故障回数に基づき、当該設備について所定期間内に発生する故障回数を予測し、前記表示画面上に表示する故障管理手段をさらに備えることを特徴とする施設管理装置。
【請求項６】
施設に配置された各設備を管理する際に用いられ、当該施設の構成を示す図面情報および前記各設備に関する管理情報を記憶する記憶部と、各種情報を表示画面に表示する画面表示部と、前記図面情報および任意の設備に関する管理情報を前記表示画面に表示する制御部とを有する施設管理装置で行われる施設管理方法であって、
当該施設に配置されている各設備のシンボルをその配置位置に応じて前記表示画面の図面情報上にそれぞれ表示するシンボル表示ステップと、
前記図面情報上に表示された任意のシンボルに対する所定操作に応じて当該シンボルの設備に関する詳細な情報を前記記憶部の管理情報から選択して表示画面上に表示する管理情報表示ステップと備えることを特徴とする施設管理方法。
【請求項７】
施設に配置された各設備を管理する際に用いられ、当該施設の構成を示す図面情報および前記各設備に関する管理情報を記憶する記憶部と、各種情報を表示画面に表示する画面表示部と、前記図面情報および任意の設備に関する管理情報を前記表示画面に表示する制御部とを有する施設管理装置のコンピュータに、
当該施設に配置されている各設備のシンボルをその配置位置に応じて前記表示画面の図面情報上にそれぞれ表示するシンボル表示ステップと、
前記図面情報上に表示された任意のシンボルに対する所定操作に応じて当該シンボルの設備に関する詳細な情報を前記記憶部の管理情報から選択して表示画面上に表示する管理情報表示ステップと実行させるプログラム。
【発明の詳細な説明】
【技術分野】
【０００１】
本発明は、施設管理技術に関し、特に施設に配置されている各設備に関する情報を表示画面に表示して管理する施設管理技術に関する。
【背景技術】
【０００２】
従来、建物や商業施設などの施設内に配置されている各種設備を管理する施設管理装置では、当該施設の各フロアの躯体図をＣＲＴやＬＣＤなどの表示画面に表示し、その躯体図上に管理対象となる各種設備を表示して、それぞれの設備の運転状況や室内の温度などの管理情報を表示するものとなっている（例えば、特許文献１など参照）。
【０００３】
この種の施設管理装置では、予め設定しておいた図面情報を読み込んで、躯体図上に各設備の配置位置に応じてそれぞれの設備シンボルを画面表示し、いずれかの設備で異常が発生した場合は、警報ブザーを鳴動させるとともに、そのシンボルを赤色などで点滅表示してオペレータに異常発生箇所を通知するものとなっていた。
【０００４】
なお、出願人は、本明細書に記載した先行技術文献情報で特定される先行技術文献以外には、本発明に関連する先行技術文献を出願時までに発見するには至らなかった。
【特許文献１】特開平８−１１０９９２号公報
【発明の開示】
【発明が解決しようとする課題】
【０００５】
しかしながら、このような従来の施設管理装置では、オペレータが、例えば上記のように警報表示された任意の設備の管理や状況に関する詳細な管理情報を表示画面で確認する場合には、画面表示されている施設の躯体図や設備のシンボルとは別個に、所望の設備を特定する操作が必要となる。この設備特定操作としては、設備の名前や配置位置をキーボードから入力する作業、あるいは所定操作で各設備を一覧表示させた後、その中から所望の名前と配置位置を持つ設備を目視で検索し、見つけた設備を選択するという一連の作業が必要となる。
【０００６】
したがって、オペレータは、画面表示されている躯体図やシンボルに基づき所望の設備の管理情報を容易に表示確認することができず操作が煩雑であるという問題点があった。また、同一名の設備が複数存在する場合は、一覧表示からその配置位置を特定するのが難しく、オペレータに対する作業負担が大きいという問題点があった。
本発明はこのような課題を解決するためのものであり、所望の設備に関する詳細な管理情報の表示の際の作業負担を軽減できる施設管理装置、方法、およびプログラムを提供することを目的としている。
【課題を解決するための手段】
【０００７】
このような目的を達成するために、本発明にかかる施設管理装置は、施設に配置された各設備を管理する際に用いられ、当該施設の構成を示す図面情報および各設備に関する管理情報を記憶する記憶部と、各種情報を表示画面に表示する画面表示部と、図面情報および任意の設備に関する管理情報を表示画面に表示する制御部とを有する施設管理装置において、制御部に、当該施設に配置されている各設備のシンボルをその配置位置に応じて表示画面の図面情報上にそれぞれ表示するシンボル表示手段と、図面情報上に表示された任意のシンボルに対する所定操作に応じて当該シンボルの設備に関する詳細な情報を記憶部の管理情報から選択して表示画面上に表示する管理情報表示手段とを備えるものである。
【０００８】
この際、シンボル表示手段で、各設備の故障有無または故障回数に応じた表示色を用いてそれぞれのシンボルを表示するようにしてもよい。
【０００９】
また、制御部に、図面情報上に表示された任意のシンボルに対する所定操作に応じて、当該シンボルの設備と同じ設備種別の設備に関する管理情報を記憶部の管理情報から選択してリスト化し、表示画面上に表示するリスト表示手段をさらに備えてもよい。
【００１０】
また、制御部に、各設備の設備種別に対応する選択項目を表示画面に表示する選択項目表示手段をさらに備え、シンボル表示手段で、各設備のシンボルを表示する際、選択項目への操作で選択されている設備種別に属する設備のシンボルのみを表示するようにしてもよい。
【００１１】
また、制御部に、記憶部の管理情報から計数した任意の設備の故障回数に基づき、当該設備について所定期間内に発生する故障回数を予測し、表示画面上に表示する故障管理手段をさらに備えてもよい。
【００１２】
また、本発明にかかる施設管理方法は、施設に配置された各設備を管理する際に用いられ、当該施設の構成を示す図面情報および各設備に関する管理情報を記憶する記憶部と、各種情報を表示画面に表示する画面表示部と、図面情報および任意の設備に関する管理情報を表示画面に表示する制御部とを有する施設管理装置で行われる施設管理方法であって、当該施設に配置されている各設備のシンボルをその配置位置に応じて表示画面の図面情報上にそれぞれ表示するシンボル表示ステップと、図面情報上に表示された任意のシンボルに対する所定操作に応じて当該シンボルの設備に関する詳細な情報を記憶部の管理情報から選択して表示画面上に表示する管理情報表示ステップと備えるものである。
【００１３】
また、本発明にかかるプログラムは、施設に配置された各設備を管理する際に用いられ、当該施設の構成を示す図面情報および各設備に関する管理情報を記憶する記憶部と、各種情報を表示画面に表示する画面表示部と、図面情報および任意の設備に関する管理情報を表示画面に表示する制御部とを有する施設管理装置のコンピュータに、当該施設に配置されている各設備のシンボルをその配置位置に応じて表示画面の図面情報上にそれぞれ表示するシンボル表示ステップと、図面情報上に表示された任意のシンボルに対する所定操作に応じて当該シンボルの設備に関する詳細な情報を記憶部の管理情報から選択して表示画面上に表示する管理情報表示ステップと実行させるようにしたものである。
【発明の効果】
【００１４】
本発明によれば、図面情報上に表示された任意のシンボルに対する所定操作に応じて当該シンボルの設備に関する詳細な管理情報が表示画面上に表示されるため、オペレータは、所望の設備のシンボルへの操作という極めて簡単で直感的な操作により、所望する管理情報を確認できる。したがって、所望の設備に関する詳細な管理情報の表示または更新に必要なオペレータの操作負担を軽減できる。
【発明を実施するための最良の形態】
【００１５】
次に、本発明の実施の形態について図面を参照して説明する。
［第１の実施の形態］
まず、図１を参照して、本発明の第１の実施の形態にかかる施設管理装置について説明する。図１は本発明の第１の実施の形態にかかる施設管理装置の構成を示すブロック図である。
この施設管理装置１は、表示画面に表示される図面情報上に各設備に対応するシンボルを配置し、そのシンボルに対する操作に応じて当該設備に関する詳細情報を表示するものである。
【００１６】
この施設管理装置１は、全体としてコンピュータを有する情報処理装置からなり、通信インターフェース部（以下、通信Ｉ／Ｆ部という）１１、画面表示部１２、操作入力部１３、記憶部１４、および制御部１５が設けられている。
通信Ｉ／Ｆ部１１は、通信ネットワークを介して他の装置とデータ通信を行うことにより各種情報やプログラムをやり取りする回路部である。
画面表示部１２は、ＣＲＴやＬＣＤなどの画面表示装置からなり、制御部１５からの指示に応じて図面情報や管理情報などの各種情報を画面表示する。
【００１７】
操作入力部１３は、マウスやキーボードなどの操作入力装置からなり、オペレータの操作を検出して制御部１５へ出力する。
記憶部１４は、ハードディスクやメモリなどの記憶装置からなり、制御部１５での処理に用いる各種情報やプログラム１４Ｃを記憶する。各種情報としては施設の躯体図や各設備を示すシンボルなどからなる図面情報１４Ａや、各設備の管理や状況に関する詳細な情報からなる管理情報１４Ｂなどがある。
【００１８】
制御部１５は、ＣＰＵなどのマイクロプロセッサとその周辺回路からなり、記憶部１４のプログラム１４Ｃを読み込んで実行することにより、上記ハードウェアとプログラムとを協働させて各種機能手段を実現する。
これら機能手段としては、施設表示手段１５Ａ、選択項目表示手段１５Ｂ、シンボル表示手段１５Ｃ、管理情報表示手段１５Ｄ、リスト表示手段１５Ｅ、故障管理手段１５Ｆ、およびリスト表示手段１５Ｆがある。
【００１９】
施設表示手段１５Ａは、所定操作に応じて、記憶部１４の図面情報１４Ａから所望の施設に関する躯体図を読み出し、画面表示部１２で画面表示する機能手段である。
選択項目表示手段１５Ｂは、施設表示手段１５Ａでの躯体図表示の際、記憶部１４の図面情報１４Ａから所望の施設に配置されている設備を選択するための選択項目を読み出し、画面表示部１２で画面表示する機能手段である。
シンボル表示手段１５Ｃは、記憶部１４の図面情報１４Ａから所望の施設に配置されている設備のうち、当該選択項目に対応する設備のシンボルを読み出し、画面表示部１２で画面表示する機能手段である。
【００２０】
管理情報表示手段１５Ｄは、画面表示されている任意のシンボルに対する操作に応じて、当該シンボルに対応する設備に関する詳細情報を、記憶部１４の管理情報１４Ｂから読み出し、画面表示部１２で画面表示する機能手段である。
リスト表示手段１５Ｅは、所定操作に応じて、記憶部１４の管理情報１４Ｂを各設備の種別ごとに分類しリストとして出力する機能手段である。
故障管理手段１５Ｆは、記憶部１４の管理情報１４Ｂから計数した任意の設備の故障回数に基づき、当該設備について所定期間に発生する故障数を予測し表示画面上に表示する機能手段である。
【００２１】
ここで、図２および図３を参照して、図面情報１４Ａについて説明する。図２は図面情報１４Ａのうち施設に関する施設図面情報の構成例である。図３は図面情報１４Ａのうち設備に関する設備図面情報の構成例である。
図２の施設図面情報は、各施設に関する図面情報を管理する情報であり、建物のフロアーごとに管理番号を付与して管理している。図２の例では、管理番号「０１０２」の施設について、そのフロアー名「２Ｆ」、その建物名「山武本社」、その施設の躯体図を示す画像ファイル名「山武管理図２Ｆ」などが関連付けて管理されている。
【００２２】
図３の設備管理情報は、各設備に関する図面情報を管理する情報であり、各設備ごとに管理番号を付与して管理している。図３の例では、管理番号「００１」の設備について、その設備種別「消火器」、その設備が配置されている施設を示す施設管理番号「０１０２」、その設備が配置されている座標位置「１７４，４０」、その設備のシンボルを示す画像ファイル名「消火器Ａ」などが関連付けられている。
【００２３】
また、図４は管理情報１４Ｂの構成例である。
この管理情報１４Ｂは、各設備の管理や状況に関する詳細な情報からなり、各設備に管理番号を付与して管理している。例えば図４では、管理番号「００１」の設備について、その設備種別「消火器」、その設備を製造した製造会社「Ａ社」、その設備の製造番号「０２０１０１」などの任意の項目が関連付けられている。このほか、履歴情報として、点検作業の日時、担当者、その内容や、故障有無、故障回数、故障日時などが関連づけられている。
【００２４】
［施設表示動作］
次に、図５を参照して、施設管理装置の施設表示動作について説明する。図５は施設管理装置での施設表示処理を示すフローチャートである。
施設管理装置１の制御部１５は、オペレータによる操作入力部１３からの所定操作に応じて、図５の施設表示処理を開始する。図７は施設表示処理での画面表示例である。
【００２５】
まず、制御部１５は、施設表示手段１５Ａにより、記憶部１４から図面情報１４Ａを読み込み（ステップ１００）、その施設図面情報（図２参照）のうち指定された施設に関する図面情報を参照し、当該施設に対応する画像ファイルを記憶部１４から読み込んで、画面表示部１２の表示画面のうち、図６の図面領域２００へ表示する（ステップ１０１）。
【００２６】
続いて、制御部１５は、選択項目表示手段１５Ｂにより、当該施設に配置されている設備を選択するための選択項目を、図６の項目選択領域２０１へ表示し（ステップ１０２）、一連の図面情報表示処理を終了する。
これにより、図７に示すように、所望の施設の躯体図が図面領域２００へ表示され、選択項目が選択項目領域２０１へ表示される。なお、各選択項目には、チェック欄が設けられており、このチェック欄でチェック有無を更新することにより、図面領域に当該選択項目の設備種別に属する設備の表示／非表示が制御される。
【００２７】
［設備表示動作］
次に、図６を参照して、施設管理装置の設備表示動作について説明する。図６は施設管理装置での設備表示処理を示すフローチャートである。
制御部１５は、上記選択項目のチェック欄のチェック有に応じて、図６の設備表示処理を開始する。
まず、シンボル表示手段１５Ｃにより、記憶部１４から図面情報１４Ａを読み込み（ステップ１１０）、その設備図面情報（図３参照）のうち当該施設に配置されている設備であって、かつ上記選択項目の設備種別に属する設備を選択する（ステップ１１１）。
【００２８】
そして、選択した設備に関する図面情報を参照して、当該設備に対応するシンボルの画像ファイルを読み込み、画面表示部１２の表示画面のうち、図面領域２００上の当該設備の座標位置にそのシンボルを表示し（ステップ１１２）、一連の設備表示処理を終了する。
これにより、図７に示すように、選択項目で選択された設備種別の設備のシンボルが、図面領域２００のうち実際の設備の配置位置と同じ位置に表示される。
【００２９】
なお、ステップ１０２において、各選択項目のチェック欄の初期状態をすべてチェック有りと設定しておくことにより、施設表示終了直後に設備表示処理が実行されて、当該施設に配置されているすべての設備のシンボルを表示できる。
また、選択項目のチェック欄については、オペレータによる操作入力部１３からの操作に応じてチェック有無が更新される。したがって、図５の施設表示処理の終了直後だけでなく、その後のオペレータ操作に応じて逐次実行されて、所望の設備種別に属する設備シンボルの表示／非表示を制御できる。
【００３０】
［管理情報表示動作］
次に、図８を参照して、施設管理装置の管理情報表示動作について説明する。図８は施設管理装置での管理情報表示処理を示すフローチャートである。
制御部１５は、前述した設備表示処理の後、オペレータによる操作入力部１３からの任意のシンボルに対する操作、例えばマウス（ポインティングデバイス）によるシンボルへのクリック操作（選択操作）に応じて、図８の管理情報表示処理を開始する。
【００３１】
まず、管理情報表示手段１５Ｄにより、表示画面上における操作位置に基づき操作されたシンボルを特定し（ステップ１２０）、そのシンボルに対応する設備の管理番号に基づき、記憶部１４の管理情報１４Ｂから当該設備に関する詳細情報を検索する（ステップ１２１）
そして、得られた詳細情報を画面表示部１２の表示画面に表示し（ステップ１２２）、一連の管理情報表示処理を終了する。
【００３２】
これにより、図９に示すように、選択したシンボルの設備に関する詳細な管理情報が、画面表示部１２の表示画面上に詳細情報画面２１０として表示される。
この詳細情報画面２１０には、選択したシンボルの設備に関する詳細な管理情報として、当該設備に関する点検作業の履歴情報が表示されており、新たな履歴情報を登録するための入力欄も合わせて表示されている。
【００３３】
履歴情報には、点検作業を行った日付を示す「点検日」、点検作業を行った「担当者」、および点検作業の内容や結果などを記載する「備考」などの各欄が設けられており、新たに入力された履歴情報は、所定の登録操作に応じて各欄へ当該設備の詳細情報として記憶部１４の管理情報１４Ｂへ追加される。
なお、設備の管理情報としては点検作業の履歴情報に限定されるものではなく、各設備の管理や動作状況に関する所望の情報を用いればよい。
【００３４】
このように、表示画面上に施設の躯体図を示す図面情報を表示するとともに、当該施設に配置されている各設備のシンボルを上記図面情報上に表示し、任意のシンボルに対する操作に応じて、当該シンボルの設備に関する管理情報を表示するようにしたので、オペレータは、シンボルへの操作という極めて簡単な直感的な操作により、所望の設備を誤りなく選択してその管理情報を確認できる。したがって、設備選択のために設備名や配置位置をキーボード入力し、あるいは一覧表示が目視により検索する必要がなくなり、所望の設備に関する詳細な管理情報の表示の際の作業負担を大幅に軽減できる。
【００３５】
また、表示画面上に各設備の種別に対応した選択項目をそれぞれ表示し、任意の選択項目に対する操作に応じて、当該選択項目の設備種別に属する設備のシンボルについて、表示／非表示を制御するようにしたので、オペレータが所望する管理対象設備をそれぞれの設備種別で選択して、その設備のシンボルのみを表示画面上に表示させることができ、設備に対する視認性や操作性を向上できるとともに、オペレータによる操作ミスを回避できる。
【００３６】
なお、以上では、任意の設備のシンボルに対する操作に応じて、当該設備の詳細な管理情報を画面表示する場合について説明したが、任意の設備を図面情報上に新たに配置して登録する際にも、図９の詳細情報画面と同様の画面を表示し、設備の新規登録に必要な各種管理情報を入力するようにしてもよい。この際、入力する管理情報としては、例えば当該設備の管理番号、製造会社、設備種別、製造番号などがある。
【００３７】
［第２の実施の形態］
次に、図１０を参照して、本発明の第２の実施の形態にかかる施設管理装置について説明する。図１０は本発明の第２の実施の形態にかかる施設管理装置での設備表示処理を示すフローチャートである。なお、本実施の形態にかかる施設管理装置の構成については、前述した第１の実施の形態（図１参照）と同様であり、ここでの説明は省略する。
【００３８】
前述した第１の実施の形態の設備表示処理（図７参照）と比較して、ステップ１１１とステップ１１２との間にステップ１１５を設け、各シンボルの表示色を決定している。この際、シンボルの表示色は、管理情報１４Ｂで管理している各設備の故障有無や故障回数に応じて決定される。
このように、設備の故障有無や故障回数に応じて、各設備のシンボルに対する表示色を決定するようにしたので、オペレータは各設備の管理情報を確認する操作を行うことなく、各設備の故障有無や故障回数を表示画面から一括して把握することができる。
【００３９】
なお、各設備を監視する監視装置から通信Ｉ／Ｆ部１１を介して故障発生が通知される場合、制御部１５で、その故障発生通知に応じて上記管理情報表示処理を開始するようにしてもよく、任意の設備での故障発生に応じて表示画面上で直ちに表示でき、オペレータによる迅速な対応が可能となる。
【００４０】
［第３の実施の形態］
次に、図１１を参照して、本発明の第３の実施の形態にかかる施設管理装置について説明する。図１１は本発明の第３の実施の形態にかかる施設管理装置でのリスト表示処理を示すフローチャートである。なお、本実施の形態にかかる施設管理装置の構成については、前述した第１の実施の形態（図１参照）と同様であり、ここでの説明は省略する。
【００４１】
制御部１５は、オペレータによる操作入力部１３からの所定操作、例えばマウスによるシンボルへのクリック操作に応じて、図１１のリスト表示処理を開始する。
まず、リスト表示手段１５Ｅにより、記憶部１４の管理情報１４Ｂを読み込み（ステップ１３０）、当該施設に配置されている各設備について設備種別ごとに管理情報を分類する（ステップ１３１）。
そして、図１２に示すように、分類された管理情報のうち、当該設備の設備種別に属する各設備の管理情報を画面表示部１２の表示画面上にリスト表示画面２２０として表示し（ステップ１３２）、一連のリスト表示処理を終了する。
【００４２】
このように、任意のシンボルに対する操作に応じて、当該シンボルの設備と同じ設備種別の設備に関する管理情報をリスト表示するようにしたので、オペレータは、シンボルへの操作という極めて簡単な操作により、所望する設備種別の設備に関する管理情報をリストにより確認できる。したがって、複数の設備に関する詳細な管理情報の表示または更新に必要なオペレータの作業負担を大幅に軽減できる。この際、施設に配置されているすべての設備に関する管理情報をリスト化してもよい。
なお、リスト化した管理情報を所定のファイル形式、例えば表計算アプリケーションで用いられるファイル形式でファイル出力するようにしてもよく、各設備の管理情報を他のツールで利用できる。
【００４３】
［第４の実施の形態］
次に、図１３を参照して、本発明の第４の実施の形態にかかる施設管理装置について説明する。図１３は本発明の第４の実施の形態にかかる施設管理装置での故障管理処理を示すフローチャートである。なお、本実施の形態にかかる施設管理装置の構成については、前述した第１の実施の形態（図１参照）と同様であり、ここでの説明は省略する。
【００４４】
制御部１５は、オペレータによる操作入力部１３からの所定操作に応じて、図１３の故障管理処理を開始する。
まず、故障管理手段１５Ｆにより、記憶部１４の管理情報１４Ｂを読み込み（ステップ１４０）、当該施設に配置されている各設備について過去の故障回数を計数する（ステップ１４１）。
そして、予め記憶部１４に記憶しておいた過去の実績や製造メーカからの寿命データに基づいて、所望の期間、例えば来期１年分に発生する故障回数を予測して（ステップ１４２）、その予測結果を画面表示し（ステップ１４３）、一連の故障管理処理を終了する。
【００４５】
これにより、各設備の故障数を予測でき、設備の手配を容易に行うことができるとともに、各設備のコストを用いれば設備予算も合わせて管理するとができ、無駄のない適切な設備管理を行うことができる。
故障数の予測対象としては、当該施設に配置されているすべての設備を対象としてもよく、上記所定操作で任意のシンボルが選択されている場合は、当該シンボルに対応する設備のみ、あるいは当該設備と同種の設備を対象としてもよい。
【００４６】
以上では、詳細情報表示およびリスト表示の際のシンボルに対する操作として、いずれもマウスによるクリック操作（選択操作）を例として説明したが、これに限定されるものではなく、これら表示内容ごとに異なる操作を割り当ててもよい。この際、使用できる操作としては、マウスによるクリック操作のほか、ダブルクリック操作もあり、キーボードにおける任意のキーの押下とクリック操作を組み合わせて操作の種類を増やしてもよい。また、これらマウスの左ボタンでの操作だけでなく、右ボタン操作によりコンテキストメニューを表示して、いずれかのメニューコマンドを選択する操作を用いてもよい。
【図面の簡単な説明】
【００４７】
【図１】本発明の第１の実施の形態にかかる施設管理装置の構成を示すブロック図である。
【図２】施設図面情報の構成例である。
【図３】設備図面情報の構成例である。
【図４】管理情報の構成例である。
【図５】本発明の第１の実施の形態にかかる施設管理装置での施設表示処理を示すフローチャートである。
【図６】本発明の第１の実施の形態にかかる施設管理装置での設備表示処理を示すフローチャートである。
【図７】施設および設備の表示画面例である。
【図８】本発明の第１の実施の形態にかかる施設管理装置での管理情報表示処理を示すフローチャートである。
【図９】管理情報の表示画面例である。
【図１０】本発明の第２の実施の形態にかかる施設管理装置での設備表示処理を示すフローチャートである。
【図１１】本発明の第３の実施の形態にかかる施設管理装置でのリスト表示処理を示すフローチャートである。
【図１２】管理情報のリスト表示画面例である。
【図１３】本発明の第４の実施の形態にかかる施設管理装置での故障管理処理を示すフローチャートである。
【符号の説明】
【００４８】
１…施設管理装置、１１…通信Ｉ／Ｆ部、１２…画面表示部、１３…操作入力部、１４…記憶部、１４Ａ…図面情報、１４Ｂ…管理情報、１４Ｃ…プログラム、１５…制御部、１５Ａ…施設表示手段、１５Ｂ…選択項目表示手段、１５Ｃ…シンボル表示手段、１５Ｄ…管理情報表示手段、１５Ｅ…リスト表示手段、１５Ｆ…故障管理手段。
【図１】
2005285004.tif 000003
【図２】
2005285004.tif 000004
【図３】
2005285004.tif 000005
【図４】
2005285004.tif 000006
【図５】
2005285004.tif 000007
【図６】
2005285004.tif 000008
【図７】
2005285004.tif 000009
【図８】
2005285004.tif 000010
【図９】
2005285004.tif 000011
【図１０】
2005285004.tif 000012
【図１１】
2005285004.tif 000013
【図１２】
2005285004.tif 000014
【図１３】
2005285004.tif 000015